(57)【要約】【課題】ボトル容器などの一次包装用容器を陳列する場合にほこりなどをかぶって印象が悪くなる問題や目立ち難いなどの問題を解決する二次包装用容器を提供すること。【解決手段】以下の構成を有する二次包装用容器である。（Ａ）全体を１枚のシートから構成し、接着部が折りひだ部のみであること、（Ｂ）側面部は、左右とも内側に傾斜し、左右側面部の高さの合計が底部の左右方向の幅を超えない高さであり、側面に開口部分を形成していること、（Ｃ）背面部から前面部へ片流れの傾斜上面部及び水平上面部を有すること、（Ｄ）前記傾斜上面部は、前記水平上面部に連設した傾斜上面補強部を裏側から重ね、一部又は全部が２層となっていること、（Ｅ）背面上部に連設した係止用突部を背面部の上部に設けた切り込みに差し込んで、背面上部を背面下部に係止していること。傾斜上面部の角度が１０〜６０度であることが好ましい。【選択図】図１
2008189378.tif 000002
【特許請求の範囲】
【請求項１】
以下の構成を有する二次包装用容器。
（Ａ）全体を１枚のシートから構成し、接着部が折りひだ部のみであること、
（Ｂ）側面部は、左右とも内側に傾斜し、左右側面部の高さの合計が底部の左右方向の幅を超えない高さであり、側面に開口部分を形成していること、
（Ｃ）背面部から前面部へ片流れの傾斜上面部及び水平上面部を有すること、
（Ｄ）前記傾斜上面部は、前記水平上面部に連設した傾斜上面補強部を裏側から重ね、一部又は全部が２層となっていること、
（Ｅ）背面上部に連設した係止用突部を背面部の上部に設けた切り込みに差し込んで、背面上部を背面下部に係止していること。
【請求項２】
傾斜上面部の水平上面部に対する角度が１０〜６０度であることを特徴とする請求項１に記載の二次包装用容器。
【請求項３】
水平上面部に収容物保持用の孔を有することを特徴とする請求項１又は請求項２に記載の二次包装用容器。
【発明の詳細な説明】
【技術分野】
【０００１】
本発明は、包装用容器に関し、詳しくは、傾斜上面部及び側面に開口部を有する二次包装用容器に関する。
【背景技術】
【０００２】
物品を直接収容する一次包装用容器をさらに包装する二次包装用容器は多種の形状のものが知られている。
例えば、収容する逆円錐台形状の一次容器の縁部を保持するための切り込み部を設け、側面は開口とし、吊り下げもできる二次包装用容器が知られている（例えば特許文献１参照）。
また、筒状物を保護するために包装する直方体の二次包装用容器が知られている（例えば特許文献２参照）。
健康食品などは、円柱型のボトル容器に収容され販売されている。
ボトル容器をそのまま陳列した場合には、ほこりなどをかぶって印象が悪くなる問題や容器上部の蓋の部分にある記載が見にくく目立ち難いなどの問題があった。
【０００３】
【特許文献１】実開平１−１２６９６３号公報
【特許文献２】実開昭５６−５６７１４号公報
【発明の開示】
【発明が解決しようとする課題】
【０００４】
したがって、本発明の目的は、ボトル容器など一次包装用容器を陳列する場合にほこりなどをかぶって印象が悪くなる問題や目立ち難いなどの問題を解決する二次包装用容器を提供することである。
【課題を解決するための手段】
【０００５】
本発明者は上記の目的を達成するために鋭意研究を重ねた結果、傾斜した上面部、開口した側面部分及び傾斜した側面部を有する二次包装用容器は、ほこりが付き難く、販売する場合に客に強くアピールでき、しっかり一次包装用容器を保持できることを見出し本発明を完成するに至った。
従って、本発明は、 以下の構成を有する二次包装用容器である。
（Ａ）全体を１枚のシートから構成し、接着部が折りひだ部のみであること、
（Ｂ）側面部は、左右とも内側に傾斜し、左右側面部の高さの合計が底部の左右方向の幅を超えない高さであり、側面に開口部分を形成していること、
（Ｃ）背面部から前面部へ片流れの傾斜上面部及び水平上面部を有すること、
（Ｄ）前記傾斜上面部は、前記水平上面部に連設した傾斜上面補強部を裏側から重ね、一部又は全部が２層となっていること、
（Ｅ）背面上部に連設した係止用突部を背面部の上部に設けた切り込みに差し込んで、背面上部を背面下部に係止していること。
また、傾斜上面部の水平上面部に対する角度が１０〜６０度であることを特徴とする前記二次包装用容器である。
さらに、水平上面部に収容物保持用の孔を有することを特徴とする前記二次包装用容器である。
一次包装用容器の上部がくびれている場合は、くびれ部分を孔により保持することでさらにしっかり一次包装用容器を保持できる。
【発明の効果】
【０００６】
傾斜上面部により見やすい表示ができ、ほこりが付き難い。
１枚のシートから構成し、接着部が少ないので、コストがかからず、組立が容易である。
側面の開口部から一次包装用容器を見ることができる。
側面部が内側に傾斜しているので、一次包装用容器をしっかり保持できる。
傾斜上面補強部により傾斜上面部を補強しているので、傾斜上面部が変形し難い。
【発明を実施するための最良の形態】
【０００７】
まず、図２に基づいて本発明の二次包装用容器の構成を説明する。
図２は、本発明の二次包装用容器の展開図である。
図２に示すように本発明の二次包装用容器は、１枚のシートから、以下のように構成されている。
【０００８】
傾斜上面補強部８を折線２６を介して水平上面部７に連設している。
傾斜上面補強部８の長さＥは、傾斜上面部の長さＢ以下であり、傾斜上面部補強部８の長さＥがＢと一致する場合は、図３（Ａ）に示すように傾斜上面補強部８に片部８０を折線８１を介して連設することもできる。
この場合は、図３（Ｂ）に示すように辺部８０を折線８１により折り背面上部２に重ねるようにする。
【０００９】
水平上面部７に背面下部６を折線２５を介して連設している。
折線２５の中間部分には、切り込み４０を設けている。
切り込み線４０の位置は、折線２５又は図４に示すように折線２５より下方に寄った位置でもよい。
この場合は、背面が垂直になるように背面上部の長さＡを適宜調整する。
【００１０】
背面下部６に底面部５を折線２４を介して連設している。
底面部５に前面部４を折線２３を介して連設している。
前面部４に傾斜上面部３を折線２２を介して連設している。
傾斜上面部３に背面下部６を折線２１を介して連設している。
背面上部の長さＡ及び傾斜上面部の長さＢを適宜調整することにより、傾斜上面部の水平上面部に対する角度を調整することができる。
前記背面下部６には、係止用突部１を連設している。
係止用突部１の幅は、前記切り込み４０の幅と同じである。
【００１１】
前記底面部５には、左右方向に側面部９、１０を折線２７、２８を介して連設している。
また、折りひだ部４１、４２、４３、４４は、折線２７、２８を介して前面部４、背面下部６に連設している。
側面部９，１０と折りひだ部４１、４２、４３、４４は、折線３５、３６、３７、３８を介して連設している。
折りひだ部４１、４２、４３、４４には、折線３１、３２、３３、３４を設け、この折線と折線３５、３６、３７、３８の角度により側面部が内側に傾斜する角度を調整することができる。
傾斜角度は、一次包装用容器を収容したとき、側面部が変形して保持できる角度を適宜選択する。
本発明の二次包装用容器は、紙など多少変形できる素材で製造することができ、側面部が変形することで、一次包装用容器をしっかりと保持できる。
側面部９，１０の長さＣ，Ｄは、その合計が底面部５の幅Ｗを超えないようにすることにより組み立てる場合、側面部が重ならないので作業が容易となる。
また、この長さＣ，Ｄは側面部に開口部分を設けることができる長さとする。
本発明の二次包装用容器は、側面部が傾斜しているので一次包装用容器をしっかり保持することができ、側面部の高さは側面部が垂直に起立している場合に比べ短くできるので、開口部分を大きくでき、一次包装用容器を容易に目視することができる。
【００１２】
次に本発明の二次包装用容器の組立方法について説明する。
図１は、本発明の二次包装用容器の組立方法の説明図である。
本発明の二次包装用容器は、接着箇所が４箇所であり、容易に組み立てることができる。
まず、図１（Ａ）に示すように、側面部９、１０及び折りひだ部４１、４２、４３、４４を折線２７、２８により底面部５側に折り重ね、接着部５１、５２、５３、５４により折りひだ部４１、４２、４３、４４を前面部４、又は背面下部６に接着する。
次に図１（Ｂ）に示すように折線２３、２４により、前面部４、背面下部６を底面部５から起立し、同時に、側面部９，１０を折りひだ部４１、４２、４３、４４に設けた折線３１、３２、３３，３４、及び折線３５、３６、３７、３８により底面部５から起立する。
次に、図１（Ｃ）に示すように底面部５に一次包装用容器７１を載置し、折線２５により水平上面部７を一次包装用容器にかぶせ、傾斜上面補強部８を折線２６により傾斜上面部３に重ね、折線２１により背面上部２を折って背面上部２に連設した係止用突部１を背面下部６に設けた切り込み４０に挿入して完成する。
【００１３】
一次包装用容器の上部がくびれている場合は、図５に示すように孔６０を設け、一次包装用容器のくびれ部分を孔６０により保持することによりさらにしっかりと一次包装用容器を保持できる。
【実施例】
【００１４】
図２に示す形状の厚さ０．６ｍｍの紙製のシートを使用し、一辺４６ｍｍの正方形の底面部を持ち、上面水平部までの高さが８６ｍｍ、全体の高さが１４２ｍｍ、傾斜上面部の傾斜角度が３３度、側面部の長さが１９ｍｍ、前記側面部の傾斜角度が７７度の二次包装用容器により、直径４６ｍｍ、高さ８６ｍｍの円筒形サプリメント一次包装用容器を図１（Ｃ）に示すように収容した。
【図面の簡単な説明】
【００１５】
【図１】本発明の二次包装用容器の組立方法の説明図である。
【図２】本発明の二次包装用容器の展開図である。
【図３】傾斜上面補強部が傾斜上面部より長い場合の説明図である。
【図４】切り込み線の位置を説明する図である。
【図５】水平上面部に孔を設けた場合の説明図である。
【符号の説明】
【００１６】
１        係止用突部
２        背面上部
３        傾斜上面部
４        前面部
５        底面部
６        背面下部
７        水平上面部
８        傾斜上面補強部
９、１０  側面部
４０      切り込み
４１，４２、４３、４４    折りひだ部
５１，５２，５３，５４    接着部
６０      孔
７１      一次包装用容器
８０      辺部
【図１】
2008189378.tif 000003
【図２】
2008189378.tif 000004
【図３】
2008189378.tif 000005
【図４】
2008189378.tif 000006
【図５】
2008189378.tif 000007